(57)【要約】【課題】簡易な方法で、非充填領域を形成しながら、放射線を良好に遮蔽可能な中性子遮蔽体を形成できる使用済み核燃料用容器の製造方法を提供する。【解決手段】使用済み核燃料用容器１を製造する際は、まず、外周面から外方に向かって複数の伝熱フィン１１が延びている本体２に対して、外側を覆うように外筒３を被せることにより、複数の充填領域１２が形成される。そして、各充填領域１２に型部材１３が配置されることにより、１対の凹部１３１Ａによって囲まれた領域が非充填領域２０として形成される。その後、非充填領域２０を除く各充填領域１２に型部材１３と同種の樹脂材料が充填されることにより、型部材１３及び充填された樹脂材料を遮蔽部とし、非充填領域２０を中空部とする各中性子遮蔽体が形成される。【選択図】  図６
2017044661.tif 000002
【特許請求の範囲】
【請求項１】
内部に使用済み核燃料を収容可能であり、外周面から外方に向かって複数の伝熱フィンが延びている筒状の本体に対して、外側を覆うように外筒を被せる外筒設置工程と、
前記本体の外周面と前記外筒の内周面との間において、前記複数の伝熱フィンの間に形成された複数の充填領域のそれぞれに、樹脂材料からなる型部材を配置することにより、非充填領域を形成する型配置工程と、
前記非充填領域を除く前記複数の充填領域のそれぞれに前記型部材と同種の樹脂材料を充填することにより、前記型部材及び当該充填された樹脂材料を遮蔽部とする複数の中性子遮蔽体を形成する遮蔽体形成工程と、を含むことを特徴とする使用済み核燃料用容器の製造方法。
【請求項２】
前記型配置工程では、前記非充填領域を前記本体の軸線方向に沿って形成することを特徴とする請求項１に記載の使用済み核燃料用容器の製造方法。
【請求項３】
前記型配置工程では、前記型部材を前記本体の外周面に取り付けることにより、前記型部材と前記本体の外周面との間に前記非充填領域を形成することを特徴とする請求項１または２に記載の使用済み核燃料用容器の製造方法。
【請求項４】
前記型配置工程では、前記型部材を前記外筒の内周面に取り付けることにより、前記型部材と前記外筒の内周面との間に前記非充填領域を形成することを特徴とする請求項１または２に記載の使用済み核燃料用容器の製造方法。
【発明の詳細な説明】
【技術分野】
【０００１】
本発明は、本体と外筒との間に樹脂材料の充填領域及び非充填領域が形成される使用済み核燃料用容器の製造方法に関するものである。
【背景技術】
【０００２】
従来から、内筒と、内筒を覆うように配置される外筒と、内筒と外筒との間に配置される中性子遮蔽体とを備える使用済み核燃料用容器が知られている。使用済み核燃料用容器は、使用済み核燃料を内筒の内部に収容した状態で保管される。そして、使用済み核燃料用容器では、収容する使用済み核燃料から放出される放射線のうち、中性子は、主として中性子遮蔽体によって遮蔽される。
【０００３】
この種の使用済み核燃料用容器として、内筒の軸線方向において中性子遮蔽体を複数に分割し、複数の中性子遮蔽体の間に、中性子遮蔽体が充填されない非充填領域（隙間）を設けた使用済み核燃料用容器が提案されている（例えば、下記特許文献１参照）。
【０００４】
この使用済み核燃料用容器では、中性子遮蔽体は、樹脂材料から形成されている。そして、使用済み核燃料用容器内で熱が発生すると、中性子遮蔽体は、熱膨張する。また、熱膨張した中性子遮蔽体は、非充填領域に入り込むように熱膨張する。
このように、この使用済み核燃料用容器では、複数の中性子遮蔽体の間の非充填領域が、中性子遮蔽体が熱膨張する際の伸び代を収容する領域となる。
【先行技術文献】
【特許文献】
【０００５】
【特許文献１】特開２００６−２２６７８７号公報
【発明の概要】
【発明が解決しようとする課題】
【０００６】
上記のような従来の使用済み核燃料用容器の製造方法では、予め複数に分割された中性子遮蔽体が製造される。そして、当該製造した複数の中性子遮蔽体は、非充填領域が確保されるようにして、内筒と外筒との間に配置される。そのため、使用済み核燃料用容器の製造方法が複雑になる。
【０００７】
本発明は、上記実情に鑑みてなされたものであり、簡易な方法で、非充填領域を形成しながら、放射線を良好に遮蔽可能な中性子遮蔽体を形成できる使用済み核燃料用容器の製造方法を提供することを目的とする。
【課題を解決するための手段】
【０００８】
（１）本発明に係る使用済み核燃料用容器の製造方法は、外筒設置工程と、型配置工程と、遮蔽体形成工程と、を含む。前記外筒設置工程では、内部に使用済み核燃料を収容可能であり、外周面から外方に向かって複数の伝熱フィンが延びている筒状の本体に対して、外側を覆うように外筒を被せる。前記型配置工程では、前記本体の外周面と前記外筒の内周面との間において、前記複数の伝熱フィンの間に形成された複数の充填領域のそれぞれに、樹脂材料からなる型部材を配置することにより、非充填領域を形成する。前記遮蔽体形成工程では、前記非充填領域を除く前記複数の充填領域のそれぞれに前記型部材と同種の樹脂材料を充填することにより、前記型部材及び当該充填された樹脂材料を遮蔽部とする複数の中性子遮蔽体を形成する。
【０００９】
このような方法によれば、本体の外周面と外筒の内周面との間に型部材を配置し、非充填領域を除く複数の充填領域のそれぞれに樹脂材料を充填するのみで、非充填領域を形成しながら、中性子遮蔽体を形成できる。
また、型部材が、充填された樹脂材料とともに遮蔽部を形成するため、より多くの樹脂材料で放射線（中性子）を遮蔽できる。
そのため、簡易な方法で、非充填領域を形成しながら、放射線（中性子）を良好に遮蔽可能な中性子遮蔽体を形成できる。
【００１０】
（２）また、前記型配置工程では、前記非充填領域を前記本体の軸線方向に沿って形成してもよい。
【００１１】
このような方法によれば、各中性子遮蔽体が熱膨張したときに各中性子遮蔽体の膨張代となる非充填領域を、使用済み核燃料用容器内において効率的に確保できる。
その結果、各中性子遮蔽体が熱膨張したときに、本体、伝熱フィン及び外筒に負荷がかかることを効率的に抑制できる。
【００１２】
（３）また、前記型配置工程では、前記型部材を前記本体の外周面に取り付けることにより、前記型部材と前記本体の外周面との間に前記非充填領域を形成してもよい。
【００１３】
このような方法によれば、型部材を本体の外周面に取り付けることにより、非充填領域を形成する。
そのため、使用済み核燃料用容器内において、非充填領域を安定的に配置できる。
また、本体の外周面に沿って非充填領域が形成されるため、伝熱フィンに沿って非充填領域が形成されるような構成と比較して、放射線（中性子）を良好に遮蔽できる。
【００１４】
（４）また、前記型配置工程では、前記型部材を前記外筒の内周面に取り付けることにより、前記型部材と前記外筒の内周面との間に前記非充填領域を形成してもよい。
【００１５】
このような方法によれば、型部材を外筒の内周面に取り付けることにより、非充填領域を形成する。
そのため、使用済み核燃料用容器内において、非充填領域を安定的に配置できる。
また、外筒の内周面に沿って非充填領域が形成されるため、伝熱フィンに沿って非充填領域が形成されるような構成と比較して、放射線（中性子）を良好に遮蔽できる。
【発明の効果】
【００１６】
本発明によれば、本体の外周面と外筒の内周面との間に型部材を配置し、非充填領域を除く複数の充填領域のそれぞれに樹脂材料を充填するだけの簡易な方法で、非充填領域を形成しながら、放射線を良好に遮蔽可能な中性子遮蔽体を形成できる。
【図面の簡単な説明】
【００１７】
【図１】本発明の第１実施形態により製造された使用済み核燃料用容器であって、保管される状態の使用済み核燃料用容器を示した斜視図である。
【図２】図１の使用済み核燃料用容器が輸送される状態を示した斜視図である。
【図３】図１の使用済み核燃料用容器を示した平断面図である。
【図４】図１の使用済み核燃料用容器を示した側断面図である。
【図５】図４の本体、伝熱フィン、外筒及び中性子遮蔽体を示した平断面図である。
【図６】図１の使用済み核燃料用容器の製造方法を説明するための平断面図である。
【図７】本発明の第２実施形態に係る使用済み核燃料用容器の製造方法を説明するための平断面図である。
【図８】本発明の第３実施形態に係る使用済み核燃料用容器の製造方法を説明するための平断面図である。
【発明を実施するための形態】
【００１８】
１．使用済み核燃料用容器の全体構成
図１は、本発明の第１実施形態に係る使用済み核燃料用容器１であって、保管される状態の使用済み核燃料用容器１を示した斜視図である。なお、図１では、使用済み核燃料用容器１の一部を切り欠いて示している。
使用済み核燃料用容器１は、使用済み核燃料を収容するためのものであって、本体２と、外筒３と、遮蔽体４と、バスケット５と、蓋体６とを備えている。
【００１９】
本体２は、略円筒形状に形成されており、例えば、低合金鋼又は炭素鋼からなる。本体２は、軸線方向における一端部が閉塞されており、軸線方向における他端部に開口２Ａが形成されている。
【００２０】
外筒３は、本体２の外方に配置されている。外筒３は、本体２と軸線を共有する略円筒形状に形成されており、例えば、炭素鋼又はステンレス鋼からなる。すなわち、外筒３は、本体２の外周面に対して間隔を隔てて対向するように本体２を覆っている。
遮蔽体４は、本体２と外筒３との間に配置されている。後述するように、遮蔽体４は、放射線（中性子）を遮蔽するように構成されている。
【００２１】
バスケット５は、本体２内に収容されている。バスケット５は、厚板形状のブロックを複数積層することにより構成されており、内部に複数の収容室５Ａが形成されている。
蓋体６は、本体２の他端部に取り付けられている。蓋体６は、円板形状に形成されており、本体２の開口２Ａを密閉するように覆っている。
【００２２】
使用済み核燃料用容器１では、バスケット５の収容室５Ａ内に使用済み核燃料が収容される。そして、使用済み核燃料用容器１は、本体２の開口２Ａが蓋体６により密閉され、本体２の軸線が上下方向に沿い、かつ、蓋体６が上方に配置される状態で保管される。このように、使用済み核燃料用容器１は、使用済み核燃料を、バスケット５を介して本体２内に収容する。また、本体２（バスケット５）内に収容された使用済み核燃料から放出される放射線（中性子）は、遮蔽体４によって遮蔽される。
また、使用済み核燃料用容器１は、使用済み核燃料を輸送する輸送用容器としても用いられる。
図２は、図１の使用済み核燃料用容器１が輸送される状態を示した斜視図である。なお、図２では、使用済み核燃料用容器１の一部を切り欠いて示している。
【００２３】
使用済み核燃料を輸送する際は、使用済み核燃料が収容された状態の使用済み核燃料用容器１において、本体２の両端部に緩衝体７が取り付けられる。そして、使用済み核燃料用容器１は、本体２の軸線が水平方向に沿う状態を保つようにして輸送される。また、輸送中に、仮に使用済み核燃料用容器１を落下などさせても、緩衝体７によって本体２に伝わる衝撃が弱められるため、使用済み核燃料用容器１を安全に輸送できる。
【００２４】
２．遮蔽体、及び、遮蔽体周囲の部材の詳細構成
図３は、図１の使用済み核燃料用容器１を示した平断面図である。
なお、以下の説明では、使用済み核燃料用容器１を、水平面に載置した状態を基準として説明する。
使用済み核燃料用容器１においては、本体２と外筒３との間に複数の伝熱フィン１１が配置されている。
【００２５】
各伝熱フィン１１は、上下方向（本体２の軸線方向）に延びる板形状に形成されており、例えば、銅などの熱伝導率が高い材料からなる。各伝熱フィン１１は、本体２の外周面から外筒３の内周面に向かって延びている。すなわち、各伝熱フィン１１は、本体２の軸線方向と直交する方向に向かって延びている。より具体的には、各伝熱フィン１１は、本体２の径方向に対して傾斜する方向に向かって延びている。複数の伝熱フィン１１は、本体２の周方向において、互いに間隔を隔てて配置されている。
【００２６】
図４は、図１の使用済み核燃料用容器１を示した側断面図である。図３及び図４に示すように、使用済み核燃料用容器１においては、本体２の外周面と外筒３の内周面との間において、複数の伝熱フィン１１の間に複数の充填領域１２が形成されている。具体的には、各充填領域１２は、本体２の外周面と、外筒３の内周面と、隣り合う伝熱フィン１１における互いに対向する対向面によって形成されている。各充填領域１２は、上下方向に延びている。
【００２７】
遮蔽体４は、複数の中性子遮蔽体４１から構成されている。各中性子遮蔽体４１は、各充填領域１２内に充填されている。各中性子遮蔽体４１は、中性子などの放射線を遮蔽する樹脂材料からなる。各中性子遮蔽体４１の内部には、中空部４２が形成されている。
【００２８】
図５は、図４の本体２、伝熱フィン１１、外筒３及び中性子遮蔽体４１を示した平断面図である。図４及び図５に示すように、各中空部４２は、上下方向に見たときの形状が、本体２の径方向に対する直交方向に延びる長穴状であって、上下方向に沿って延びている。各中空部４２は、上下方向に見たときに、各中性子遮蔽体４１の中央部に配置されている。各中空部４２の縁部は、本体２の外周面、外筒３の内周面、及び、各伝熱フィン１１と間隔を隔てて配置されている。各中空部４２は、各中性子遮蔽体４１の上端部から下端部にわたって配置されている。
なお、各中空部４２は、各中性子遮蔽体４１の内部に配置されていればよい。例えば、各中空部４２は、外筒３側に配置されてもよく、本体２側に配置されてもよい。
具体的には、図５に示すように、各中空部４２は、本体２の径方向（幅方向）の寸法Ｌ１が、例えば、０．５ｃｍ以上、２．０ｃｍ以下である。また、各中空部４２は、本体２の径方向に対する直交方向の寸法Ｌ２が、例えば、１０ｃｍ以上、１３ｃｍ以下である。また、図４に示すように、各中空部４２は、上下方向の寸法Ｌ３が、例えば、４００ｃｍ以上、５００ｃｍ以下である。
各中性子遮蔽体４１では、中空部４２を除く部分が遮蔽部４３として形成されている。各中性子遮蔽体４１は、遮蔽部４３によって放射線（中性子）を遮蔽する。
【００２９】
３．使用済み核燃料用容器の製造方法
図６は、図１の使用済み核燃料用容器１の製造方法を説明するための平断面図である。なお、図６では、後述する型部材を概略的に示している。
【００３０】
使用済み核燃料用容器１を製造する際は、まず、本体２の外周面に対して、複数の伝熱フィン１１が溶接により取り付けられる。そして、外周面から外方に向かって複数の伝熱フィン１１が延びている本体２の外側を覆うように外筒３が被せられる。
【００３１】
次いで、外筒３の内周面に対して、複数の伝熱フィン１１を溶接により取り付ける。このようにして、本体２の外周面、外筒３の内周面、及び、複数の伝熱フィン１１により、複数の充填領域１２が形成される。
その後、各充填領域１２内に型部材１３を配置する。
型部材１３は、長尺状の部材であって、水素原子を多く含む樹脂材料からなり、例えば、エポキシ系樹脂などの樹脂材料からなる。型部材１３は、１対の分割部材１３１を備えている。
各分割部材１３１は、長尺状の板状に形成されている。各分割部材１３１には、凹部１３１Ａが形成されている。
【００３２】
凹部１３１Ａは、分割部材１３１の一方面から内側に向かって窪んでいる。凹部１３１Ａは、分割部材１３１の長手方向の一端から他端にわたって形成されている。
【００３３】
そして、この１対の分割部材１３１は、凹部１３１Ａが互いに対向する状態で接合される。さらに、１対の凹部１３１Ａの一端部が、樹脂材料によって閉塞される。このようにして、型部材１３が形成される。
【００３４】
また、型部材１３は、その長手方向が本体２の軸線方向に沿うように、各充填領域１２内に配置される。なお、各型部材１３は、図示しない保持部材によって、各充填領域１２内において一定位置を保つように保持されている。
【００３５】
このとき、本体２の軸線方向に見ると、各型部材１３は、各充填領域１２の中央部に配置されている。また、型部材１３は、各充填領域１２の一端部から他端部にわたって配置されている。
なお、各型部材１３は、各充填領域１２の内部に配置されていればよい。例えば、各型部材１３は、外筒３側に配置されてもよく、本体２側に配置されてもよい。
【００３６】
各充填領域１２内に型部材１３が配置された状態において、１対の凹部１３１Ａによって囲まれた領域が非充填領域２０として形成される。すなわち、非充填領域２０は、各充填領域１２内において、本体２の軸線方向に延びるように形成されており、かつ、本体２の軸線方向に見たときに、各充填領域１２内の中央部に配置されている。
なお、非充填領域２０は、各充填領域１２の内部に配置されていればよい。例えば、各型部材１３は、外筒３側に配置されてもよく、本体２側に配置されてもよい。
【００３７】
その後、本体２の軸線が上下方向に沿った状態とされる。このとき、本体２は、図４とは上下反転させた状態となる。
この状態で、各充填領域１２に、液状の樹脂材料が充填される。具体的には、各非充填領域２０を除く各充填領域１２に、樹脂材料が充填される。なお、この各充填領域１２に充填される樹脂材料は、型部材１３を形成する樹脂材料と同種の樹脂材料である。また、同種の樹脂材料とは、型部材１３を形成する樹脂材料と同一の樹脂材料だけでなく、同一の主成分を有する樹脂材料を含む概念である。
【００３８】
そして、充填した樹脂材料が硬化することにより、その樹脂材料、及び、型部材１３が一体となり、各中性子遮蔽体４１が形成される。このようにして、型部材１３及び充填された樹脂材料を遮蔽部４３とし、非充填領域２０を中空部４２とする複数の中性子遮蔽体４１が形成される（図５参照）。
その後は、本体２が、上下反転されることにより図４の状態となり、上記した使用済み核燃料用容器１を構成する各部材が適宜取り付けられることにより、使用済み核燃料用容器１が構成される。
【００３９】
図１に示すように、このようにして製造した使用済み核燃料用容器１を保管している間には、使用済み核燃料用容器１内において熱が発生する。そして、図５に示すように、その熱によって、各中性子遮蔽体４１は、各充填領域１２内において熱膨張する。このとき、各中性子遮蔽体４１は、各中空部４２側を膨張代として膨張する。
【００４０】
なお、上記の説明では、各充填領域１２には、本体２の軸線方向に延びる１つの型部材１３が配置されるとしたが、型部材１３が予め本体２の軸線方向に複数に分割され、当該分割された部材が各充填領域１２内に順次配置されて、各充填領域１２内で型部材１３が構成されてもよい。
【００４１】
４．作用効果
（１）本実施形態では、図６に示すように、各充填領域１２に型部材１３が配置されて非充填領域２０が形成される。そして、非充填領域２０を除く各充填領域１２に型部材１３と同種の樹脂材料が充填されることにより、型部材１３及び充填された樹脂材料を遮蔽部４３（図５参照）とする各中性子遮蔽体４１（図５参照）が形成される。
【００４２】
そのため、各充填領域１２に型部材１３を配置し、非充填領域２０を除く各充填領域１２に樹脂材料を充填するのみで、非充填領域２０を形成しながら、中性子遮蔽体４１を形成できる。
また、充填された樹脂材料が、型部材１３と一体となって遮蔽部４３を形成するため、より多くの樹脂材料で放射線（中性子）を遮蔽できる。
そのため、簡易な方法で、非充填領域２０を形成しながら、放射線（中性子）を良好に遮蔽可能な中性子遮蔽体４１を形成できる。
【００４３】
（２）また、本実施形態では、図６に示すように、非充填領域２０は、本体２の軸線方向に沿って形成される。そして、その非充填領域２０は、各中性子遮蔽体４１が形成された状態で、中空部４２として形成される。
【００４４】
そのため、各中性子遮蔽体４１が熱膨張したときに各中性子遮蔽体４１の膨張代となる中空部４２（非充填領域２０）を、使用済み核燃料用容器内において効率的に確保できる。
その結果、各中性子遮蔽体４１が熱膨張したときに、本体２、伝熱フィン１１及び外筒３に負荷がかかることを効率的に抑制できる。
【００４５】
５．第２実施形態
図７及び図８を参照して、本発明の他の実施形態について説明する。なお、以下において、上記した第１実施形態と同様の構成には同様の符号を付し、その説明を省略する。
【００４６】
上記した第１実施形態では、型部材１３は、凹部１３１Ａが形成された１対の分割部材１３１が接合されることにより形成される。そして、その型部材１３が各充填領域１２内の中央部に配置されることにより、非充填領域２０が形成される。
対して、第２実施形態では、図７に示すように、型部材１４が、各充填領域１２内において、本体２に沿うように配置される。
詳しくは、第２実施形態では、各充填領域１２内に、型部材１３に代えて、型部材１４が配置される。
【００４７】
型部材１４は、長尺状の部材であって、水素原子を多く含む樹脂材料からなり、例えば、エポキシ系樹脂などの樹脂材料からなる。型部材１４は、長手方向に見たときの形状がＵ字状に形成されている。型部材１４には、凹部１４Ａが形成されている。
【００４８】
凹部１４Ａは、長手方向に見たときの形状が矩形状であって、型部材１４の一方面から内側に向かって窪んでいる。また、図示しないが、型部材１４では、その長手方向の一端部において、凹部１４Ａが閉塞されている。
【００４９】
型部材１４は、本体２の外周面に沿うようにして、各充填領域１２内に配置される。具体的には、型部材１４は、その長手方向が本体２の軸線方向に沿い、凹部１４Ａが本体２の外周面に対向する状態を保つようにして、各充填領域１２内に配置される。
【００５０】
そして、型部材１４は、本体２の外周面に樹脂材料３１により取り付けられる。なお、この樹脂材料３１は、型部材１４を形成する樹脂材料と同種の樹脂材料である。
ただし、型部材１４は、当該型部材１４を形成する樹脂材料とは異種の樹脂材料により本体２の外周面に取り付けられてもよいし、樹脂材料以外の材料を用いて本体２の外周面に取り付けられてもよい。
【００５１】
このようにして、各充填領域１２内において、型部材１４の凹部１４Ａと、本体２の外周面とによって囲まれる非充填領域２１が形成される。すなわち、非充填領域２１は、型部材１４と本体２の外周面との間に形成される。
【００５２】
より具体的には、非充填領域２１は、各充填領域１２内において、本体２の軸線方向に延びている。非充填領域２１は、本体２の軸線方向に見たときの形状が矩形状であって、本体２の外周面に沿って延びている。
次いで、各充填領域１２に、型部材１４を形成する樹脂材料と同種の樹脂材料が充填される。
【００５３】
そして、充填した樹脂材料が硬化することにより、充填した樹脂材料、型部材１４、及び、樹脂材料３１が一体となり、各中性子遮蔽体４１（図３参照）が形成される。
本実施形態によれば、第１実施形態と同様の作用効果を得ることができる。
【００５４】
また、本実施形成では、図７に示すように、型部材１４が本体２の外周面に取り付けられることにより、型部材１４と本体２の外周面との間に非充填領域２１が形成される。
そのため、使用済み核燃料用容器１内において、非充填領域２１を安定的に配置できる。
【００５５】
また、本体２の外周面に沿って非充填領域２１が形成されるため、伝熱フィン１１に沿って非充填領域２１が形成されるような構成と比較して、放射線（中性子）を良好に遮蔽できる。
【００５６】
６．第３実施形態
上記した第１実施形態では、型部材１３は、凹部１３１Ａが形成された１対の分割部材１３１が接合されることにより形成される。そして、その型部材１３が各充填領域１２内の中央部に配置されることにより、非充填領域２０が形成される。
対して、第３実施形態では、図８に示すように、型部材１５が、各充填領域１２内において、外筒３に沿うように配置される。
詳しくは、第３実施形態では、各充填領域１２内に、型部材１３に代えて、型部材１５が配置される。
【００５７】
型部材１５は、長尺状の部材であって、水素原子を多く含む樹脂材料からなり、例えば、エポキシ系樹脂などの樹脂材料からなる。型部材１５は、長手方向に見たときの形状がＵ字状に形成されている。型部材１５には、凹部１５Ａが形成されている。
【００５８】
凹部１５Ａは、長手方向に見たときの形状が矩形状であって、型部材１５の一方面から内側に向かって窪んでいる。また、図示しないが、型部材１５では、その長手方向の一端部において、凹部１５Ａが閉塞されている。
【００５９】
型部材１５は、外筒３の内周面に沿うようにして、各充填領域１２内に配置される。具体的には、型部材１５は、その長手方向が本体２の軸線方向に沿い、かつ、凹部１５Ａが外筒３の内周面に対向する状態を保つようにして、各充填領域１２内に配置される。
【００６０】
そして、型部材１５は、外筒３の内周面に樹脂材料３２により取り付けられる。なお、この樹脂材料３２は、型部材１５を形成する樹脂材料と同種の樹脂材料である。
ただし、型部材１５は、当該型部材１５を形成する樹脂材料とは異種の樹脂材料により外筒３の内周面に取り付けられてもよいし、樹脂材料以外の材料を用いて外筒３の内周面に取り付けられてもよい。
【００６１】
このようにして、各充填領域１２内において、型部材１５の凹部１５Ａと、外筒３の内周面とによって囲まれる非充填領域２２が形成される。すなわち、非充填領域２２は、型部材１５と外筒３の内周面との間に形成される。
【００６２】
より具体的には、非充填領域２２は、各充填領域１２内において、本体２の軸線方向に延びている。非充填領域２２は、本体２の軸線方向に見たときの形状が矩形状であって、外筒３の内周面に沿って延びている。
次いで、各充填領域１２に、型部材１５を形成する樹脂材料と同種の樹脂材料が充填される。
【００６３】
そして、充填した樹脂材料が硬化することにより、充填した樹脂材料、型部材１５、及び、樹脂材料３２が一体となり、各中性子遮蔽体４１（図３参照）が形成される。
本実施形態によれば、第１実施形態と同様の作用効果を得ることができる。
【００６４】
また、本実施形成では、図８に示すように、型部材１５が外筒３の内周面に取り付けられることにより、型部材１５と外筒３の内周面との間に非充填領域２２が形成される。
そのため、使用済み核燃料用容器１内において、非充填領域２２を安定的に配置できる。
【００６５】
また、外筒３の内周面に沿って非充填領域２２が形成されるため、伝熱フィン１１に沿って非充填領域２２が形成されるような構成と比較して、放射線（中性子）を良好に遮蔽できる。
【符号の説明】
【００６６】
１    使用済み核燃料用容器
２    本体
３    外筒
１１    伝熱フィン
１２    充填領域
１３〜１５    型部材
２０〜２２    非充填領域
４１    中性子遮蔽体
４３    遮蔽部
【図１】
2017044661.tif 000003
【図２】
2017044661.tif 000004
【図３】
2017044661.tif 000005
【図４】
2017044661.tif 000006
【図５】
2017044661.tif 000007
【図６】
2017044661.tif 000008
【図７】
2017044661.tif 000009
【図８】
2017044661.tif 000010